(57)【要約】【課題】複数チャンネルの映像信号を時分割で混合し記録媒体に記録する一方で、遠隔地の端末装置に特定のチャンネルの映像信号を選択して送信することを課題とする。【解決手段】複数チャンネルの映像信号を時分割で混合する映像信号切替手段１０７と、映像信号切替手段からの混合された映像信号を圧縮する第一の映像信号圧縮手段１０９と、第一の映像信号圧縮手段により圧縮した映像信号を記録媒体１１３に記録する手段１１２と、混合した映像信号からチャンネルを選択して第一の映像信号圧縮手段よりも高い圧縮率で圧縮する第二の映像信号圧縮手段１１８・１１９と、第二の映像信号圧縮手段により圧縮した映像信号を送信する手段１２０とを有する構成により、混合された複数チャンネルの映像信号のうち特定チャンネルの映像信号を遠隔地に送信することができる。【選択図】        図１
2004180052.tif 000002
【特許請求の範囲】
【請求項１】
複数チャンネルの映像信号を入力とし、
前記複数チャンネルの映像信号入力を時分割で切り替えて出力する映像信号入力切替手段と、
該映像信号入力切替手段からの出力を圧縮する第１の映像信号圧縮手段と、
該第１の映像信号圧縮手段からの出力信号を記録媒体に記録する記録手段と、前記映像信号入力切替手段からの出力を前記第１の映像信号圧縮手段に比して高い圧縮率で圧縮する第２の映像信号圧縮手段と、
該第２の映像信号圧縮手段からの出力信号を他の装置へ送信する通信手段と、前記映像信号入力切替手段からの出力に含まれる特定のチャンネルを選択的に圧縮すべく前記第２の映像信号圧縮手段を制御するチャンネル選択制御手段と
を具備することを特徴とする映像信号記録送信装置。
【請求項２】
請求項１に記載の映像信号記録装置において、
記録媒体に記録された圧縮信号を再生する再生手段と、
該再生手段から再生された圧縮信号を伸長する映像信号伸長手段と、
該映像信号伸長手段からの伸長された映像信号と前記映像信号入力切替手段からの映像信号とを切り替えて前記第２の映像信号圧縮手段に出力する送信信号選択手段と
を具備することを特徴とする映像信号記録送信装置。
【請求項３】
請求項２に記載の映像信号記録送信装置であって、
前記映像信号入力切替手段が前記複数チャンネルの映像信号入力のうちいずれのチャンネルを出力しているかを示すチャンネル識別信号を前記第１の映像信号圧縮手段が圧縮した映像信号とともに記録媒体に記録する手段と、
前記再生手段がいずれのチャンネルを再生しているかを記録媒体に記録された前記チャンネル識別信号から識別するチャンネル識別手段とを具備し、
前記送信信号選択手段が前記映像信号伸長手段から出力を選択するときには、前記チャンネル識別手段からの出力をもとに特定のチャンネルを選択的に圧縮すべく前記チャンネル選択制御手段を構成すること
を特徴とする映像信号記録再生送信装置。
【請求項４】
請求項１乃至請求項３のいずれか１項に記載の映像信号記録装置において、
第１の映像信号圧縮に必要な情報を用いて第２の映像信号圧縮を行なうこと
を特徴とする映像信号記録送信装置。
【請求項５】
請求項１乃至請求項４のいずれか１項に記載の映像信号記録送信装置であって、
他の装置からのチャンネル指定信号を受信する通信手段を具備し、
前記チャンネル選択制御手段は前記通信手段が受信した前記チャンネル指定信号により指定された特定のチャンネルを選択的に圧縮すべく前記第２の映像信号圧縮手段を制御すること
を特徴とする映像信号記録送信装置。
【請求項６】
請求項１乃至請求項４のいずれか１項に記載の映像信号記録送信装置であって、
他の装置からのチャンネル指定信号を受信する通信手段と、装置の使用者がチャンネルを指定するチャンネル指定手段と、あらかじめ定められた時間間隔でチャンネルを順次切り替える自動チャンネル切替手段とを具備し、
前記チャンネル選択制御手段は前記通信手段が受信した前記チャンネル指定信号か、前記チャンネル指定手段からの出力か、前記自動チャンネル切替手段の出力かを選択し、いずれかにより指定された特定のチャンネルを選択的に圧縮すべく前記第２の映像信号圧縮手段を制御すること
を特徴とする映像信号記録送信装置。
【請求項７】
請求項１乃至請求項６のいずれか１項に記載の映像信号記録送信装置であって、
監視装置からのズーム処理指定信号受信手段と、
該ズーム処理指定信号に従って画像の所定個所を拡大処理するズーム処理回路とを備え、
ズーム処理指定信号に基づいて画像の所定個所を拡大処理した後、第２の映像信号圧縮処理を施すこと
を特徴とする映像信号記録送信装置。
【請求項８】
請求項１乃至請求項７のいずれか１項に記載の映像信号記録送信装置であって、
前記第１の映像信号圧縮手段はＭＰＥＧ２形式の圧縮・符号化処理を行い、
前記第２の映像信号圧縮手段はＭＰＥＧ４形式の圧縮・符号化処理を行うことを特徴とする映像信号記録送信装置。
【請求項９】
請求項１乃至請求項８のいずれか１項に記載の映像信号記録送信装置と監視装置との間を通信手段で接続した監視システムであって、
前記映像信号入力は撮影装置からの出力であること
を特徴とする監視システム。
【請求項１０】
請求項９に記載の監視システムを構成する監視装置において、
映像信号記録送信装置におけるチャンネルの選択を指定するチャンネル指定信号を出力する手段を有することを特徴とする監視装置。
【請求項１１】
請求項１０に記載の監視装置において、
チャンネル指定信号を送信する機能と、
選択されたチャンネルの画像信号を受信する機能を有すること
を特徴とする監視装置。
【請求項１２】
複数のカメラ装置と映像信号記録送信装置とをＬＡＮを介して接続するとともに、該映像信号記録送信装置と遠隔地に配置された監視装置とを通信手段を介して接続した監視システムにおいて、
前記カメラ装置が、撮像信号を圧縮する第１の映像信号圧縮手段と、ＬＡＮインタフェースを備え、
前記映像信号記録送信装置が、前記複数のカメラ装置からの映像信号入力を時分割で切り替えて出力するとともに前記監視装置からのチャンネル指定信号に基づいて指定したチャンネルを抽出する指定チャンネル抽出回路と、
該指定チャンネル抽出回路からの指定チャンネルの圧縮映像信号を復号する映像信号復号手段と、
前記指定チャンネル抽出回路からの時分割で切替えて出力された映像信号を記録媒体に記録する記録手段と、
前記映像信号復号手段からの出力を前記第１の映像信号圧縮手段に比して高い圧縮率で圧縮する第２の映像信号圧縮手段と、
該第２の映像信号圧縮手段からの出力信号を他の装置へ送信する通信手段と
を具備すること
を特徴とする監視システム。
【請求項１３】
請求項１２に記載の監視システムにおいて、
映像信号記録送信装置に、監視装置からのズーム処理指定信号受信手段と、該ズーム処理指定信号に従って画像の所定個所を拡大処理するズーム処理回路とを備え、
ズーム処理指定信号に基づいて映像信号復号手段からの出力画像の所定個所を拡大処理した後、第２の映像信号圧縮処理を施すこと
を特徴とする監視システム。
【請求項１４】
複数のカメラ装置と映像信号記録送信装置とをＬＡＮを介して接続するとともに、該映像信号記録送信装置と遠隔地に配置された監視装置とを通信手段を介して接続した監視システムにおいて、
前記カメラ装置が、撮像信号を圧縮する第１の映像信号圧縮手段と、前記撮像信号を前記第１の映像信号圧縮手段に比して高い圧縮率で圧縮する第２の映像信号圧縮手段と、ＬＡＮインタフェースとを備え、
前記映像信号記録送信装置が、前記複数のカメラ装置からの映像信号入力を時分割で切り替えて出力するとともに前記監視装置からのチャンネル指定信号に基づいて指定したチャンネルを抽出する指定チャンネル抽出回路と、該指定チャンネル抽出回路からの時分割で切替えて出力された映像信号を記録媒体に記録する記録手段と、
前記カメラ装置からの前記第１の映像信号圧縮手段に比して高い圧縮率で圧縮した第２の映像信号を他の装置へ送信する通信手段と
を具備すること
を特徴とする監視システム。
【請求項１５】
請求項１４に記載の監視システムにおいて、
前記カメラ装置に、監視装置からのズーム処理指定信号受信手段と、該ズーム処理指定信号に従って画像の所定個所を拡大処理するズーム処理回路とを備え、ズーム処理指定信号に基づいて映像信号復号手段からの出力画像の所定個所を拡大処理した後、第２の映像信号圧縮処理を施すこと
を特徴とする監視システム。
【発明の詳細な説明】
【０００１】
【発明の属する技術分野】
本発明は、時分割で混合された複数チャンネルの映像信号を、圧縮して記録媒体に記録するとともに、これとは異なる圧縮率で圧縮し外部装置に送信する映像信号記録および送信装置に関する。
【０００２】
【従来の技術】
監視場所においてカメラにより撮影した映像信号を記録媒体に記録するだけでなく、通信ネットワーク等を経由して遠隔地の監視装置に映像信号を送信する監視システムが考案されている。このような監視システムにおいては、記録媒体に記録する映像信号は、解像度や時間分解能の高い映像信号であることが必要があるが、遠隔地の監視装置に送信する映像信号は、通信ネットワークの伝送容量の制限に応じて解像度や時間分解能を下げて送信することが必要となる。従来の監視システムに関する技術では、撮影した映像信号を圧縮率の異なる複数のモードで圧縮し、低圧縮データを記録媒体に記録し、高圧縮データを送信している。（例えば、特許文献１参照）
【０００３】
【特許文献１】
特開２０００−５９７５８号公報
【０００４】
【発明が解決しようとする課題】
上記従来の技術は、単一もしくは複数のカメラで撮影した映像信号を記録するとともに、遠隔地に設置した監視装置に映像信号を送信して監視しているが、複数のカメラを設置し１台の記録装置を用いて記録する場合、複数チャンネルの映像信号を時分割で混合し記録媒体に記録する方式が一般的である。このようなシステムにあっては、遠隔地に設置された監視装置で監視するには、複数チャンネルの映像信号を時分割で混合して送信し、監視装置で所望のチャンネルの映像信号を選択してモニタする。したがって、このようなシステムにおいては、撮像記録装置側と監視装置側間で必要とする映像信号以外の映像信号を伝送するとともに、監視装置に所望のチャンネルの映像信号を選択する機能を備えることが必要である。
【０００５】
本発明は、記録装置に複数チャネルの映像信号を時分割で記録するようにし、記録装置と監視装置間では、監視に必要な映像信号のみを転送するようにした映像信号記録送信装置および監視装置ならびに監視システムを提供することを目的とする。
【０００６】
【課題を解決するための手段】
上記課題を解決するために、本発明は、複数チャンネルの映像信号を時分割で混合する映像信号切替手段と、映像信号切替手段からの混合された映像信号を圧縮する第１の映像信号圧縮手段と、第１の映像信号圧縮手段により圧縮した映像信号を記録媒体に記録する記録手段と、混合した映像信号からチャンネルを選択して第１の映像信号圧縮手段よりも高い圧縮率で圧縮する第２の映像信号圧縮手段と、第２の映像信号圧縮手段により圧縮した映像信号を送信する通信手段とから構成する。かかる構成により、複数チャンネルの映像信号のうち特定チャンネルの映像信号を、遠隔地の監視装置に送信することができる。
【０００７】
【発明の実施の形態】
本発明にかかる監視システムの第１の実施の形態を、図１を用いて説明する。
図１は、本発明にかかる監視システムの第１の実施の形態を示すブロック図であり、複数台のカメラＣ１−１，Ｃ１−２，Ｃ１−ｎが撮像した映像信号が入力される映像信号入力端子Ｔ１−１，Ｔ１−２，Ｔ１−ｎと、複数のチャンネルの映像信号のいずれかを選択して時分割信号として出力する映像信号スイッチ１１と、映像信号スイッチ１１におけるチャンネル選択信号を出力するチャンネル切替回路１２と、第１の映像信号圧縮手段であるＭＰＥＧ２エンコーダ１３と、記録媒体インタフェース１４と、例えばハードディスクなどの記録媒体１５と、ズーム処理回路１６と、第２の映像信号圧縮手段であるＭＰＥＧ４エンコーダ１７と、一致回路１８と、通信インタフェース２９とからなる映像信号記録送信装置１と、通信ネットワーク３と、遠隔地に配置された監視装置（端末装置）５とから構成される。映像信号記録送信装置１と監視装置５は、通信ネットワーク３を介して接続される。
【０００８】
複数のカメラＣ１−１，Ｃ１−２，Ｃ１−ｎは、撮影した映像信号をそれぞれ映像信号入力端子Ｔ１−１，Ｔ１−２，Ｔ１−ｎに出力する手段である。
【０００９】
映像信号スイッチ１１は、映像信号入力端子Ｔ１−１，Ｔ１−２，Ｔ１−ｎから入力された複数チャンネルの映像信号を順次選択して時分割で混合してＭＰＥＧ２エンコーダ１３に出力するとともに、ズーム処理回路１６を経由してＭＰＥＧ４エンコーダ１７に出力する手段である。
【００１０】
チャンネル切替回路１２は、複数チャンネルの映像信号を例えばフレーム単位で切り替えるごとく映像信号スイッチ１１を制御する手段である。さらに、チャンネル切替回路１２は、チャンネル選択信号を一致回路１８に出力する。
【００１１】
ＭＰＥＧ２エンコーダ１３は、入力された映像信号に第１の圧縮率で圧縮・符号化処理を施し圧縮映像信号とする第１の映像信号圧縮手段である。
【００１２】
記録媒体インタフェース１４は、圧縮映像信号を記録媒体１５に書き込む処理を行なう手段である。さらに、記録媒体インタフェース１４は、記録媒体１５に記録された圧縮映像信号を読み出す処理を行なう手段である。
【００１３】
記録媒体１５は、例えばハードディスク、ＤＶＤ，その他のメモリから構成され、圧縮映像信号などを格納する手段である。記録媒体１５自体は、映像信号記録送信装置１から取り外し自在に構成することができる。
【００１４】
ズーム処理回路１６は、通信インターフェース２９を介して監視装置５から受信したズーム処理指定信号に基づいて、入力された映像信号のフレームの画像における任意の個所を切出し、拡大し、解像度を変換するズーム処理を施す回路である。
【００１５】
ＭＰＥＧ４エンコーダ１７は、通信インターフェース２９を介して監視装置５から受信したチャンネル指定信号で指定されたチャンネルの圧縮映像信号に対して第２の圧縮率で圧縮・符号化処理を施し圧縮映像信号とする第２の映像信号圧縮手段である。この圧縮・符号化処理に用いられる情報として、ＭＰＥＧ２エンコーダ１３における圧縮・符号化処理で用いた情報、例えば動きベクトル（ＭＶ）を用いることができる。このことにより、ＭＰＥＧ４エンコーダにおける圧縮・符号化処理の処理量を低減することができる。
【００１６】
一致回路１８は、通信インターフェース２９を介して監視装置５から受信したチャンネル指定信号と、チャンネル切替回路１２からのチャンネル選択信号とを比較し、両者が一致したか否かを判定する手段である。チャンネル指定信号とチャンネル選択信号が一致したときに、ＭＰＥＧ４エンコーダ１７における圧縮・符号化処理を行なわせる。
【００１７】
通信インタフェース２９は、ＭＰＥＧ４エンコーダ１７で高度に圧縮した圧縮映像信号を、通信ネットワーク３を介して監視装置５に送信するとともに、通信ネットワーク３を介して監視装置５からチャンネル指定信号やズーム処理指定信号などの信号を受信する働きを有するインタフェースである。
【００１８】
通信ネットワーク３は、映像信号記録送信装置１と監視装置５とを接続し、両装置間で圧縮映像信号やチャンネル指定信号やズーム処理指定信号などの信号を伝送する通信網である。
【００１９】
監視装置５は、映像信号記録送信装置１から受信した圧縮映像信号を伸張・復号化して表示画面に表示する機能を有するとともに、映像信号記録送信装置１に対して、送信を受けるチャンネルを指定するチャンネル指定信号と、画像の切出し領域や拡大処理解像度変換処理などの条件であるズーム処理条件を指定するズーム処理指定信号その他を送信する機能を有している。
【００２０】
図１において、複数のカメラＣ１−１，Ｃ１−２，Ｃ１−ｎは、撮影した映像信号をそれぞれ映像信号入力端子Ｔ１−１，Ｔ１−２，Ｔ１−ｎに出力する。映像信号入力端子Ｔ１−１，Ｔ１−２，Ｔ１−ｎから入力された複数チャンネルの映像信号は、映像信号スイッチ１１に導かれる。チャンネル切替回路１２は、複数チャンネルの映像信号を例えばフレーム単位で切り替えるようにチャンネル選択信号を出力して映像信号スイッチ１１を制御する。したがって、映像信号スイッチ１１の出力は、例えばフレーム単位で切り替えられた複数チャンネルの映像信号が時分割で混合される。映像信号スイッチ１１からの出力信号は、ＭＰＥＧ２エンコーダ１３に導かれるとともに、ズーム処理回路１６を介してＭＰＥＧ４エンコーダ１７に導かれる。
【００２１】
ＭＰＥＧ２エンコーダ１３に入力される映像信号は、チャンネル毎にＭＰＥＧ２形式で圧縮・符号化され、記録媒体インタフェース１４を介して記録媒体１５に圧縮映像信号として記録される。
【００２２】
一方、ＭＰＥＧ４エンコーダ１７によりＭＰＥＧ２形式よりも圧縮率が高いＭＰＥＧ４形式で圧縮・符号化された指定されたチャンネルの圧縮映像信号は、通信インタフェース２９に導かれ、通信ネットワーク３を経由して遠隔地の監視装置５に送信される。
【００２３】
通信インタフェース２９が通信ネットワーク３を経由して監視装置５から受信したチャンネル指定信号は、一致回路１８に導かれ、チャンネル切替回路１２からのチャンネル選択信号との比較が行われ、両者が一致した場合にＭＰＥＧ４エンコーダ１７は入力される映像信号を圧縮・符号化し圧縮映像信号として出力する。
【００２４】
以上の動作により、本実施の形態では、複数のカメラＣ１で撮影され時分割で混合された映像信号を圧縮・符号化して記録媒体１５に記録する一方で、さらに高い圧縮率で圧縮した圧縮映像信号を通信ネットワーク３経由で遠隔地の監視装置５に送信することができ、遠隔地の監視装置５に送信する圧縮映像信号のチャンネルを遠隔地の監視装置５から指定することができるので、複数のカメラ映像のうち所望のカメラ映像を遠隔地の監視装置５において選択してモニタすることが可能となる。さらに、この実施の形態によれば、監視装置５において、選択した複数チャンネルの画像を順次監視しながら所定のチャンネルの画像における必要とする個所を必要な大きさに拡大するように指示することによって、拡大された画像を受信することができ、監視画面の中の必要な個所を拡大して監視することができる。
【００２５】
次に、本発明にかかる監視システムの第２の実施の形態を、図２を用いて説明する。図２は、本発明による第２の実施の形態を示すブロック図である。この実施の形態にかかる監視システムは、図１に示した映像信号記録送信装置１に、チャンネル選択モード切替回路１９、チャンネル選択モード切替スイッチ２０、ユーザチャンネル選択回路２１、自動チャンネル選択回路２２を追加した点に特徴を有している。その他の部分で第１の実施の形態と同一の部分には図１と同じ符号を付してあり、動作の説明は省略する。
【００２６】
チャンネル選択モード切替回路１９は、遠隔地の監視装置５から発せられ通信ネットワーク３経由で受信したチャンネル選択モード指定信号に基づいて、監視装置５から受信したチャンネル指定信号、ユーザチャンネル選択回路２１が出力するチャンネル指定信号、自動チャンネル選択回路２２が出力するチャンネル指定信号のいずれかを選択して出力するよう切替制御を行う回路である。チャンネル選択モード切替回路１９は、遠隔地において発せられたチャンネル指定信号を受信した場合には受信したチャンネル指定信号を他の２つのチャンネル選択信号よりも優先するべく動作する。
【００２７】
チャンネル選択モード切替スイッチ２０は、チャンネル選択モード切替回路１９からの指示によって、入力されるチャンネル指定信号を選択して切り替えて出力する手段である。
【００２８】
ユーザチャンネル選択回路２１は、この映像信号記録送信装置の使用者がその設置場所において遠隔地の監視装置５に送信するチャンネルを指定する回路であり、使用者が設定したチャンネルに該当するチャンネル指定信号を出力する。
【００２９】
自動チャンネル選択回路２２は、遠隔地の監視装置５に送信する映像信号のチャンネルを自動的に切り替えて選択するための回路であり、あらかじめ定められた時間間隔、例えば数秒間隔で映像信号のチャンネルを順次切り替えるごとく該当するチャンネル指定信号を出力する。
【００３０】
既述の第１の実施の形態においては、ＭＰＥＧ４エンコーダ１７が圧縮・符号化し通信インタフェース２９により送信する映像信号のチャンネルの指定を、外部の監視装置５から通信ネットワーク３を経由して行うように構成したが、第２の実施の形態では、他のチャンネル指定方法をも行なえるようにしている。
【００３１】
以上の動作により、本実施の形態では、通常は全チャンネルの映像信号を例えば数秒間隔で順次切り替えながら遠隔地の監視装置５に送信（自動チャンネル選択モード）し、あるいは映像信号記録送信装置側のユーザが指定した特定の固定チャンネルの映像信号を遠隔地の監視装置５に送信し（ユーザチャネル選択モード）、遠隔地の監視装置５からのチャンネル指定があったときには指定されたチャンネルの映像信号を遠隔地の監視装置５に送信する（監視装置チャンネル選択モード）ことができる。
【００３２】
次に、本発明にかかる監視システムの第３の実施の形態を、図３を用いて説明する。図３は、本発明にかかる監視システムの第３の実施の形態を示すブロック図である。この実施の形態は、図１に示した第１の実施の形態にかかる映像信号記録送信装置１に、チャンネルコード付加回路２３、タイミング調整回路２４、ＭＰＥＧ２デコーダ２５、入力選択スイッチ２６−１、チャンネル信号選択スイッチ２６−２、再生チャンネル識別回路２７、送信信号切替回路２８、映像信号出力端子Ｔ２を付加した点に特徴を有している。その他の部分で第１の実施の形態と同一の部分には図１と同じ符号を付してあり、動作の説明は省略する。
【００３３】
すなわち、第３の実施の形態は、第１の実施の形態に加え、記録媒体１５の再生機能を持たせ、監視装置５によって記録媒体１５を操作して、映像信号記録送信装置１から必要なチャンネルの映像信号を圧縮映像信号として受信できるようにしている。
【００３４】
チャンネルコード付加回路２３は、チャンネル切替回路１２が選択している映像信号のチャンネルを示すチャンネルコードをＭＰＥＧ２エンコーダ１３が圧縮・符号化した圧縮映像信号に付加する回路である。
【００３５】
タイミング調整回路２４は、ＭＰＥＧ２エンコーダ１３における映像信号の圧縮・符号化処理に要する時間に相当する遅延回路であり、ＭＰＥＧ二エンコーダ１３において処理された圧縮映像信号とチャンネルコードのタイミングを合わせてチャンネル切替回路１２からのチャンネル選択信号をチャンネルコード付加回路２３に入力する回路である。
【００３６】
ＭＰＥＧ２デコーダ２５は、記録媒体インタフェース１４を経由して記録媒体１５から読み出したＭＥＰＧ２形式の圧縮映像信号を元の映像信号に伸張・復号化し復号映像信号とする回路である。復号映像信号は、映像信号出力端子Ｔ２と、入力選択スイッチ２６−１およびズーム処理回路１６を介してＭＰＥＧ４エンコーダ１７と、再生チャンネル識別回路２７に出力される。
【００３７】
入力選択スイッチ２６−１は、送信信号切替回路２７からの送信信号切替信号に基づいて、映像信号スイッチ１１からの映像信号か、記録媒体１５から再生しＭＰＥＧ２デコーダで伸張・複合化処理を施した映像信号のいずれかを選択して、ズーム処理回路１６へ出力する回路である。
【００３８】
チャンネル信号選択スイッチ２６−２は、送信信号切替回路２７からの送信信号切替信号に基づいて、チャンネル切替回路１２からのチャンネル選択信号か、再生チャンネル識別回路２７において識別した記録媒体１５から再生した圧縮映像信号に付加されたチャンネルコードのいずれかを選択する回路である。選択されたチャンネル選択信号またはチャンネルコードは、一致回路１８へ出力される。
【００３９】
再生チャンネル識別回路２７は、記録媒体１５から読み出した再生圧縮映像信号に付加されているチャンネルコードを読み取り、再生中のチャンネルを識別し、チャンネルコードを出力する回路である。チャンネルコードは、チャンネル信号選択スイッチ２６−２を介して一致回路１８に出力される。
【００４０】
送信信号切替回路２８は、カメラが撮像した映像信号、または一旦記録媒体１５に記録された映像信号を再生し伸張・復号化して得た映像信号のいずれかを選択するかを指示する回路であり、監視装置５から受信した送信信号選択信号に基づいて送信信号切替信号を出力する。
【００４１】
映像信号出力端子Ｔ２は、記録媒体１５に記録された圧縮映像信号を伸張・復号化して得た映像信号を出力する端子である。
【００４２】
遠隔地の監視装置５は、カメラで撮影したリアルタイムの映像信号を遠隔地の監視装置５に送信するか、あるいは記録媒体１５から再生した過去の映像信号を遠隔地の監視装置５に送信するかを示す送信信号選択信号と、記録媒体１５上のどの位置の映像信号を再生するかを制御する再生制御信号とを通信ネットワーク３を経由して通信インタフェース２９に出力する。
【００４３】
通信インタフェース２９は、受信した送信信号選択信号を送信信号切替回路２８に出力し、送信信号切替回路２８はこれに従って入力選択スイッチ２６−１、チャンネル信号選択スイッチ２６−２を制御する。また、通信インタフェース２９は、受信した再生制御信号を記録媒体インタフェース１４に出力し、記録媒体インタフェース１４はこれに従って記録媒体１５の再生動作を制御する。
【００４４】
記録時には、チャンネル切替回路１２からのチャンネル選択信号がタイミング調整回路２４を介してチャンネルコード付加回路２３に入力される。チャンネルコード付加回路２３は、チャンネル切替回路１２が選択している映像信号のチャンネルを示すチャンネルコードをＭＰＥＧ２エンコーダ１３が圧縮・符号化した圧縮映像信号に付加する。チャンネルコードが付加された圧縮映像信号は、記録媒体インタフェース１４を介して記録媒体１５に記録される。
【００４５】
一方、再生時には、記録媒体１５から再生された圧縮映像信号は、記録媒体インタフェース１４を介してＭＰＥＧ２デコーダ２５に入力される。ＭＰＥＧ２デコーダ２５は入力されたＭＥＰＧ２形式の圧縮映像信号を元の映像信号に伸張・復号化し、映像信号出力端子Ｔ２に出力するとともに、入力選択スイッチ２６−１とズーム処理回路１６を介してＭＰＥＧ４エンコーダ１７に出力する。
【００４６】
また、記録媒体１５から再生されたチャンネルコードが付加された圧縮映像信号は、記録媒体インタフェース１４を介して再生チャンネル識別回路２７に入力される。再生チャンネル識別回路２７は、入力される圧縮映像信号に付加されているチャンネルコードを読み取り、再生中のチャンネルを識別し、チャンネル信号選択スイッチ２６−２を介して一致回路１８に出力する。
【００４７】
以下、第１の実施の形態と同様に、識別した再生チャンネルと遠隔地の監視装置５により指定されたチャンネルとが一致した場合に圧縮・符号化を行うべくＭＰＥＧ４エンコーダ１７を制御する。
【００４８】
以上の動作により、本実施の形態では、カメラで撮影したリアルタイムの映像信号と、記録媒体１５から再生した過去の映像信号とのうちどちらの信号を遠隔地の監視装置５に送るかを、遠隔地の監視装置５から選択できる。さらに、記録媒体上のどの位置の映像信号を再生するか、および再生した映像信号のどのチャンネルを遠隔地の監視装置５に送信するかを、遠隔地の監視装置５から選択できる。
【００４９】
次に、本発明にかかる監視システムの第４の実施の形態を、図４を用いて説明する。図４は、本発明にかかる監視システムの第４の実施の形態を示すブロック図である。この実施の形態は、図２に示した第２の実施の形態にかかる映像信号記録送信装置１へ入力される監視カメラＣＩからの信号を、ＭＰＥＧ２圧縮処理した信号としたシステムである。この実施の形態では、カメラ装置Ｃ１には、レンズＣ１１と、画像センサＣ１２と、ＭＰＥＧ２エンコーダＣ１３と、ＬＡＮインタフェースＣ１４とを有して維構成される。複数のカメラ装置Ｃ１−１，Ｃ１−２，Ｃ１−ｎは、それぞれローカルエリアネットワーク（ＬＡＮ）７を介して映像信号記録送信装置１に接続される。
【００５０】
映像信号記録送信装置１は、図２に示した映像信号記録送信装置１における映像信号スイッチ１１と、映像信号スイッチ１１におけるチャンネル選択信号を出力するチャンネル切替回路１２と、第１の映像信号圧縮手段であるＭＰＥＧ２エンコーダ１３を省略するとともに、ＭＰＥＧ２でコーダ２５と、映像信号出力端子Ｔ２を付加した点に特徴を有している。その他の部分で第一の実施の形態、第２の実施の形態、第３の実施の形態と同一の部分には図１，２，３と同じ符号を付してあり、動作の説明は省略する。
【００５１】
すなわち、第４の実施の形態は、第２の実施の形態に加え、カメラ装置Ｃ１の内部にＭＰＥＧ２エンコーダＣ１３とＬＡＮインタフェースＣ１４を持たせるとともに、映像信号記録送信装置１にＭＰＥＧ２デコーダ２５と、指定チャンネル抽出回路１１１を持たせ、カメラ装置Ｃ１からの指定チャンネルの映像信号を復号化および伸張して出力端子Ｔ２から出力可能にしている。
【００５２】
カメラ装置Ｃ１−１〜Ｃ１−ｎは、それぞれ離れた場所に設置されており、ＬＡＮによって接続されている。各カメラ装置Ｃ１−１〜Ｃ１−ｎにおいて、レンズＣ１１および例えばＣＣＤセンサなどの画像センサＣ１２を介して撮像された映像信号は、ＭＰＥＧ２エンコーダＣ１３によりＭＰＥＧ２形式で圧縮エンコードされパケット化された後、ＬＡＮインタフェースＣ１４を介し、ＬＡＮ７を経由して映像信号記録送信装置１の記録媒体１５に記録される。各カメラ装置Ｃ１−１〜Ｃ１−ｎからの映像信号は、時分割で記録媒体１５に記録される。
【００５３】
指定チャンネル抽出回路１１１は、ＬＡＮ７を経由してカメラ装置Ｃ１から送られたＭＰＥＧ２形式のパケットの内、指定されたチャンネルのパケットのみを選択し、ＭＰＥＧ２デコーダ２５に送りデコードし、ズーム処理回路１６において画像の所定個所を選択して拡大処理を行なった後、ＭＰＥＧ４エンコーダ１７において、ＭＰＥＧ４形式に圧縮し、通信インタフェース２９を介して通信ネットワーク３を経由して遠隔地の監視装置５へ送信する。
【００５４】
また、記録媒体１５から再生されたＭＰＥＧ２形式で圧縮された映像信号は、指定チャンネル抽出回路１１１へ送られ、再生されたＭＰＥＧ２形式のパケットの内、指定されたチャンネルのパケットのみを選択し、以下記録時と同様に通信ネットワーク３を経由して監視装置５へ送られる。
【００５５】
以上の動作により、この実施の形態では、複数のカメラからの映像または記録媒体から再生した複数チャンネルの映像信号の内から、所定のカメラあるいはチャンネルを選択した画像にズーム処理を施した映像信号を遠隔地の監視装置５へ送ることができる。
【００５６】
次に、本発明にかかる監視システムの第５の実施の形態を、図４を用いて説明する。図５は、本発明にかかる監視システムの第５の実施の形態を示すブロック図である。この実施の形態は、図４に示した第４の実施の形態にかかる映像信号記録送信装置１へ接続される監視カメラＣＩに、さらに、ズーム処理回路１５とＭＰＥＧ４エンコーダＣ１７を設けるとともに、映像信号記録送信装置１からズーム処理回路１６と、ＭＰＥＧ４エンコーダ１７を削除した点に特徴を有している。その他の部分では第４の実施の形態と同一の部分には、図４と同じ符号を付してあり、動作の説明を省略する。
【００５７】
すなわち、この実施の形態では、カメラ装置Ｃ１に、ＭＰＥＧ４エンコーダ機能と、ズーム処理機能を持たせた点に特徴を有している。カメラ装置Ｃ１−１，Ｃ１−２，Ｃ１−ｎはそれぞれ離れた場所に設置されており、ＬＡＮ７によって接続されている。各カメラ装置Ｃ１−１，Ｃ１−２，Ｃ１−ｎにおいて、レンズＣ１１および画像センサＣ１２を介して撮像された映像信号は、第４の実施の形態と同様に、ＭＰＥＧ２エンコーダＣ１３においてＭＰＥＧ２形式で圧縮エンコードされ、パケット化された後、ＬＡＮインタフェースＣ１４を介し、ＬＡＮ７を経由して映像信号記録送信装置１の記録媒体１５に記録される。各カメラ装置Ｃ１−１，Ｃ１−２，Ｃ１−ｎからの映像信号は、時分割で記録される。
【００５８】
本実施の形態のカメラ装置Ｃ１−１〜Ｃ１−ｎは、撮像した映像信号を、ＬＡＮ７を経由して監視装置５から受信したズーム処理指定信号に従ってズーム処理回路Ｃ１６においてズーム処理した後、ＭＰＥＧ４エンコーダＣ１７においてＭＰＥＧ４形式で圧縮エンコードし、ＬＡＮインタフェースＣ１４を介して、ＬＡＮ７似送り出す機能を有している。
【００５９】
遠隔地の監視装置５の監視者は、映像信号記録送信装置１から送られてきた映像信号を順次監視しながらズーム処理を行ないたいカメラ装置のチャンネルを監視装置５から指定する。この監視者の指定に従って、監視装置５から発せられたズーム処理指定信号は、通信ネットワーク３を経由して映像信号記録送信装置１の通信インタフェース２９に受信され、ＬＡＮ７を経由して指定されたカメラ装置Ｃ１のＬＡＮインタフェースＣ１４を介してズーム処理回路Ｃ１６に送られる。
【００６０】
指定されたカメラ装置Ｃ１は、このズーム処理指定信号に従って撮像した映像信号の所定部分をズーム処理した後、ＭＰＥＧ４形式で圧縮エンコードし、ＬＡＮインタフェースＣ１４に出力する。
【００６１】
以上の動作により、本実施の形態では、複数のカメラ装置からの映像信号の中からカメラを選択し、ズーム処理した信号を、遠隔地の監視装置へ送ることができる。
【００６２】
なお、本発明の第１、第２、第３の実施の形態では、送信する映像信号をＭＰＥＧ４形式で圧縮・符号化するとしたが、ＭＰＥＧ２エンコーダ１３の出力をＭＰＥＧ４形式に変換するものとしてもよい。その場合は、ＭＰＥＧ４デコーダ１７の代わりにＭＰＥＧ２形式からＭＰＥＧ４形式への変換手段を配置し、カメラで撮影したリアルタイムの映像信号を遠隔地の監視装置５に送信する場合にはＭＰＥＧ２エンコーダ１３の出力をＭＰＥＧ４形式に変換し、記録媒体１５に記録した過去の映像信号を遠隔地の監視装置５に送信する場合には記録媒体インタフェース１４からの再生映像信号をＭＰＥＧ４形式に変換するごとく構成すればよい。
【００６３】
また、本発明の第１、第２、第３の実施の形態では、圧縮方式をＭＰＥＧ２形式およびＭＰＥＧ４形式としたが、遠隔地の監視装置５に送信する映像信号の圧縮率が、記録媒体１５に記録する映像信号の圧縮率よりも高く、かつ通信ネットワーク３の伝送容量の制限に適合するものであれば他の圧縮方式でも構わない。
【００６４】
【発明の効果】
本発明によれば、複数のカメラで撮影され時分割で混合された映像信号を圧縮して記録媒体に記録する一方で、さらに高い圧縮率で圧縮した映像信号を通信ネットワーク経由で遠隔地の監視装置に送信することができ、かつ遠隔地の監視装置に送信する映像信号のチャンネルを遠隔地の監視装置から指定することができるので、複数のカメラ映像のうち所望のカメラ映像を遠隔地の監視装置において選択してモニタすることが可能である。
【図面の簡単な説明】
【図１】本発明にかかる遠隔監視システムの第１の実施の形態を示すブロック図。
【図２】本発明にかかる遠隔監視システムの第２の実施の形態を示すブロック図。
【図３】本発明にかかる遠隔監視システムの第３の実施の形態を示すブロック図。
【図４】本発明にかかる遠隔監視システムの第４の実施の形態を示すブロック図。
【図５】本発明にかかる遠隔監視システムの第５の実施の形態を示すブロック図。
【符号の説明】
１  映像信号記録送信装置
１１  映像信号スイッチ
１１１  指定チャンネル抽出回路
１２  チャンネル切替回路
１３  ＭＰＥＧ２エンコーダ、
１４  記録媒体インタフェース
１５  記録媒体
１６  ズーム処理回路
１７  ＭＰＥＧ４エンコーダ
１８  一致回路
１９  チャンネル選択モード切替回路
２０  チャンネル選択モード切替スイッチ
２１  ユーザチャンネル選択回路
２２  自動チャンネル選択回路
２３  チャンネルコード付加回路
２４  タイミング調整回路
２５  ＭＰＥＧ２デコーダ
２６−１  入力信号選択スイッチ
２６−２  チャンネル信号選択スイッチ
２７  再生チャンネル識別回路
２８  送信信号切替回路
２９  通信インタフェース
３  通信ネットワーク
５  監視装置（外部端末装置）
７  ＬＡＮ
Ｃ１  カメラ装置
Ｃ１１  レンズ
Ｃ１２  ＣＣＤセンサ
Ｃ１３  ＭＰＥＧ２エンコーダ
Ｃ１４  ＬＡＮインタフェース
Ｃ１６  ズーム処理回路
Ｃ１７  ＭＰＥＧ４エンコーダ
【図１】
2004180052.tif 000003
【図２】
2004180052.tif 000004
【図３】
2004180052.tif 000005
【図４】
2004180052.tif 000006
【図５】
2004180052.tif 000007